(57)【要約】      （修正有）【課題】着目されたユーザの装置に、当該ユーザが着目された旨を容易に通知する仕組みを提供すること。【解決手段】会議画像と会議画像のユーザとユーザの情報処理装置とを対応付けて管理し、情報処理装置の表示画面において表示された複数の前記会議画像の中から着目する会議画像の選択を受け付け、選択を受け付けた会議画像のユーザの情報処理装置を特定し、会議画像の選択を受け付けた情報処理装置を特定し、特定された前記会議画像のユーザの情報処理装置に対して、前記ユーザの会議画像が選択されたことを通知する。【選択図】図５
2018036688.tif 000002
【特許請求の範囲】
【請求項１】
情報処理装置のユーザを撮像した会議画像を他の情報処理装置に送信し、受信した会議画像を表示画面に表示する機能を備えた複数の情報処理装置を含む、前記会議画像と前記会議画像のユーザと前記会議画像のユーザの情報処理装置とを対応付けて管理する管理手段を備える情報処理システムであって、
前記情報処理装置の表示画面において表示された複数の前記会議画像の中から着目する会議画像の選択を受け付ける選択受付手段と、
前記管理手段により管理されている情報を用いて、前記選択受付手段により選択を受け付けた会議画像のユーザの情報処理装置を特定する第１の特定手段と、
前記選択受付手段により前記会議画像の選択を受け付けた情報処理装置を特定する第２の特定手段と、
前記第１の特定手段により特定された前記会議画像のユーザの情報処理装置に対して、前記第２の特定手段により特定された情報処理装置において前記ユーザの会議画像が選択されたことを通知する通知手段と、
を備えることを特徴とする情報処理システム。
【請求項２】
前記第２の特定手段により特定された前記情報処理装置のユーザを、前記選択受付手段により選択を受け付けた会議画像のユーザに着目した着目ユーザとして特定する着目ユーザ特定手段と、
を備え、
前記通知手段は、前記第１の特定手段により特定された情報処理装置に対して、前記着目ユーザ特定手段により特定された前記着目ユーザが前記選択受付手段により選択を受け付けた会議画像のユーザに着目していることを通知することを特徴とする請求項１に記載の情報処理システム。
【請求項３】
前記通知手段による通知に応じて、通知先の、前記第１の特定手段により特定された前記情報処理装置において、前記着目ユーザを識別表示すべく制御する識別表示制御手段
を備えることを特徴とする請求項２に記載の情報処理システム。
【請求項４】
前記通知手段は、前記選択受付手段により前記会議画像が選択された後、所定時間経過後に前記通知を行うことを特徴とする請求項１乃至３のいずれか１項に記載の情報処理システム。
【請求項５】
他の情報処理装置に音声を送信する機能が有効か判定する有効判定手段と、
前記通知手段は、前記有効判定手段により、他の情報処理装置に音声を送信する機能が有効と判定された前記情報処理装置において前記選択受付手段による会議画像の選択を受け付けた場合に、前記第１の特定手段により特定された前記会議画像のユーザの情報処理装置に対して、前記第２の特定手段により特定された情報処理装置において前記ユーザの会議画像が選択されたことを通知することを特徴とする請求項１乃至４のいずれか１項に記載の情報処理システム。
【請求項６】
前記選択受付手段により会議画像の選択を受け付けた前記情報処理装置のユーザが、他の情報処理装置に音声を送信する権限を有するユーザか判定する第１の権限有無判定手段と、
前記通知手段は、前記第１の権限有無判定手段により、前記情報処理装置のユーザが前記他の情報処理装置に音声を送信する権限を有するユーザであると判定された場合に、前記第１の特定手段により特定された前記会議画像のユーザの情報処理装置に対して、前記第２の特定手段により特定された情報処理装置において前記ユーザの会議画像が選択されたことを通知することを特徴とする請求項１乃至５のいずれか１項に記載の情報処理システム。
【請求項７】
前記選択受付手段により選択を受け付けた会議画像のユーザが、他の情報処理装置に音声を送信する権限を有するユーザか判定する第２の権限有無判定手段と、
前記通知手段は、前記第２の権限有無判定手段により、前記選択受付手段により選択を受け付けた会議画像のユーザが前記他の情報処理装置に音声を送信する権限を有するユーザであると判定された場合に、前記第１の特定手段により特定された前記会議画像のユーザの情報処理装置に対して、前記第２の特定手段により特定された情報処理装置において前記ユーザの会議画像が選択されたことを通知することを特徴とする請求項１乃至６のいずれか１項に記載の情報処理システム。
【請求項８】
情報処理装置のユーザを撮像した会議画像を他の情報処理装置に送信し、受信した会議画像を表示画面に表示する機能を備えた複数の情報処理装置を含む、前記会議画像と前記会議画像のユーザと前記会議画像のユーザの情報処理装置とを対応付けて管理する管理手段を備える情報処理システムの制御方法であって、
前記情報処理装置の表示画面において表示された複数の前記会議画像の中から着目する会議画像の選択を受け付ける選択受付工程と、
前記管理手段により管理されている情報を用いて、前記選択受付工程により選択を受け付けた会議画像のユーザの情報処理装置を特定する第１の特定工程と、
前記選択受付工程により前記会議画像の選択を受け付けた情報処理装置を特定する第２の特定工程と、
前記第１の特定工程により特定された前記会議画像のユーザの情報処理装置に対して、前記第２の特定工程により特定された情報処理装置において前記ユーザの会議画像が選択されたことを通知する通知工程と、
を含むことを特徴とする情報処理システムの制御方法。
【請求項９】
情報処理装置のユーザを撮像した会議画像を他の情報処理装置に送信し、受信した会議画像を表示画面に表示する機能を備えた複数の情報処理装置を含む、前記会議画像と前記会議画像のユーザと前記会議画像のユーザの情報処理装置とを対応付けて管理する管理手段を備える情報処理システムを制御するプログラムであって、
前記情報処理システムを、
前記情報処理装置の表示画面において表示された複数の前記会議画像の中から着目する会議画像の選択を受け付ける選択受付手段と、
前記管理手段により管理されている情報を用いて、前記選択受付手段により選択を受け付けた会議画像のユーザの情報処理装置を特定する第１の特定手段と、
前記選択受付手段により前記会議画像の選択を受け付けた情報処理装置を特定する第２の特定手段と、
前記第１の特定手段により特定された前記会議画像のユーザの情報処理装置に対して、前記第２の特定手段により特定された情報処理装置において前記ユーザの会議画像が選択されたことを通知する通知手段として機能させることを特徴とする情報処理システムのプログラム。
【請求項１０】
情報処理装置のユーザを撮像した会議画像を他の複数の情報処理装置に送信し、受信した会議画像を表示画面に表示する機能と、前記会議画像と前記会議画像のユーザと前記会議画像のユーザの情報処理装置とを対応付けて管理する管理手段とを備える情報処理装置であって、
前記情報処理装置の表示画面において表示された複数の前記会議画像の中から着目する会議画像の選択を受け付ける選択受付手段と、
前記管理手段により管理されている情報を用いて、前記選択受付手段により選択を受け付けた会議画像のユーザの情報処理装置を特定する第１の特定手段と、
前記選択受付手段により前記会議画像の選択を受け付けた情報処理装置を特定する第２の特定手段と、
前記第１の特定手段により特定された前記会議画像のユーザの情報処理装置に対して、前記第２の特定手段により特定された情報処理装置において前記ユーザの会議画像が選択されたことを通知する通知手段と、
を備えることを特徴とする情報処理装置。
【請求項１１】
情報処理装置のユーザを撮像した会議画像を他の複数の情報処理装置に送信し、受信した会議画像を表示画面に表示する機能と、前記会議画像と前記会議画像のユーザと前記会議画像のユーザの情報処理装置とを対応付けて管理する管理手段とを備える情報処理装置の制御方法であって、
前記情報処理装置の表示画面において表示された複数の前記会議画像の中から着目する会議画像の選択を受け付ける選択受付工程と、
前記管理手段により管理されている情報を用いて、前記選択受付工程により選択を受け付けた会議画像のユーザの情報処理装置を特定する第１の特定工程と、
前記選択受付工程により前記会議画像の選択を受け付けた情報処理装置を特定する第２の特定工程と、
前記第１の特定工程により特定された前記会議画像のユーザの情報処理装置に対して、前記第２の特定工程により特定された情報処理装置において前記ユーザの会議画像が選択されたことを通知する通知工程と、
を含むことを特徴とする情報処理装置の制御方法。
【請求項１２】
情報処理装置のユーザを撮像した会議画像を他の複数の情報処理装置に送信し、受信した会議画像を表示画面に表示する機能と、前記会議画像と前記会議画像のユーザと前記会議画像のユーザの情報処理装置とを対応付けて管理する管理手段とを備える情報処理装置を制御するプログラムであって、
前記情報処理装置を、
前記情報処理装置の表示画面において表示された複数の前記会議画像の中から着目する会議画像の選択を受け付ける選択受付手段と、
前記管理手段により管理されている情報を用いて、前記選択受付手段により選択を受け付けた会議画像のユーザの情報処理装置を特定する第１の特定手段と、
前記選択受付手段により前記会議画像の選択を受け付けた情報処理装置を特定する第２の特定手段と、
前記第１の特定手段により特定された前記会議画像のユーザの情報処理装置に対して、前記第２の特定手段により特定された情報処理装置において前記ユーザの会議画像が選択されたことを通知する通知手段として機能させることを特徴とする情報処理装置のプログラム。
【請求項１３】
情報処理装置のユーザを撮像した会議画像を他の情報処理装置に送信し、受信した会議画像を表示画面に表示する機能を備えた複数の情報処理装置と通信可能な、前記会議画像と前記会議画像のユーザと前記会議画像のユーザの情報処理装置とを対応付けて管理する管理手段を備えるサーバ装置であって、
前記情報処理装置の表示画面において表示された複数の前記会議画像の中から着目する会議画像の選択を受け付ける選択受付手段と、
前記管理手段により管理されている情報を用いて、前記選択受付手段により選択を受け付けた会議画像のユーザの情報処理装置を特定する第１の特定手段と、
前記選択受付手段により前記会議画像の選択を受け付けた情報処理装置を特定する第２の特定手段と、
前記第１の特定手段により特定された前記会議画像のユーザの情報処理装置に対して、前記第２の特定手段により特定された情報処理装置において前記ユーザの会議画像が選択されたことを通知する通知手段と、
を備えることを特徴とするサーバ装置。
【請求項１４】
情報処理装置のユーザを撮像した会議画像を他の情報処理装置に送信し、受信した会議画像を表示画面に表示する機能を備えた複数の情報処理装置と通信可能な、前記会議画像と前記会議画像のユーザと前記会議画像のユーザの情報処理装置とを対応付けて管理する管理手段を備えるサーバ装置の制御方法であって、
前記情報処理装置の表示画面において表示された複数の前記会議画像の中から着目する会議画像の選択を受け付ける選択受付工程と、
前記管理手段により管理されている情報を用いて、前記選択受付工程により選択を受け付けた会議画像のユーザの情報処理装置を特定する第１の特定工程と、
前記選択受付工程により前記会議画像の選択を受け付けた情報処理装置を特定する第２の特定工程と、
前記第１の特定工程により特定された前記会議画像のユーザの情報処理装置に対して、前記第２の特定工程により特定された情報処理装置において前記ユーザの会議画像が選択されたことを通知する通知工程と、
を含むことを特徴とするサーバ装置の制御方法。
【請求項１５】
情報処理装置のユーザを撮像した会議画像を他の情報処理装置に送信し、受信した会議画像を表示画面に表示する機能を備えた複数の情報処理装置と通信可能な、前記会議画像と前記会議画像のユーザと前記会議画像のユーザの情報処理装置とを対応付けて管理する管理手段を備えるサーバ装置を制御するプログラムであって、
前記サーバ装置を、
前記情報処理装置の表示画面において表示された複数の前記会議画像の中から着目する会議画像の選択を受け付ける選択受付手段と、
前記管理手段により管理されている情報を用いて、前記選択受付手段により選択を受け付けた会議画像のユーザの情報処理装置を特定する第１の特定手段と、
前記選択受付手段により前記会議画像の選択を受け付けた情報処理装置を特定する第２の特定手段と、
前記第１の特定手段により特定された前記会議画像のユーザの情報処理装置に対して、前記第２の特定手段により特定された情報処理装置において前記ユーザの会議画像が選択されたことを通知する通知手段として機能させることを特徴とするサーバ装置のプログラム。
【発明の詳細な説明】
【技術分野】
【０００１】
本発明は、情報処理装置、サーバ装置、情報処理システム、その制御方法及びプログラムに関する。
【背景技術】
【０００２】
近年、ウェブ会議システムが一般に普及してきている。ウェブ会議は電子会議の１つである映像会議である。
【０００３】
例えば特許文献１には、タブレット等の携帯端末を用いた複数ユーザによるウェブ会議システムの仕組みについて記載されている。ウェブ会議では、クライアント端末に搭載されているカメラや、クライアント端末上に別途設置・接続されているカメラを用いて、例えば端末を操作するユーザの画像を撮像し、当該撮像した画像である撮像画像を、自機と同じ会議に参加している他の端末に送信することで、会議相手の端末のユーザの画像を表示画面に表示している。
【０００４】
また特許文献２には、例えば３つ以上の端末で音声会議を行う場合において、音声を送信したい送信先の端末の指定を受け付けることで、音声の中継サーバが当該指定された送信先の装置に対してのみ発話音声を中継して送信する技術が記載されている。
【先行技術文献】
【特許文献】
【０００５】
【特許文献１】特開２０１５−８２２０７号公報
【特許文献２】特開２００８−１２４５９７号公報
【発明の開示】
【発明が解決しようとする課題】
【０００６】
ウェブ会議等の電子会議を行う際の人数は様々である。会議の参加人数が増えるにつれて表示画面に表示される会議相手のユーザの画像数も増えるため、会議に参加している各ユーザは、会議相手の細かな様子を確認し難くなる。
【０００７】
例えば、会議相手の中のどのユーザが自分に着目しているか、自分の様子をどのように伺っているか等を確認し難くなってしまう。
【０００８】
本発明は、着目されたユーザの装置に、当該ユーザが着目された旨を容易に通知する仕組みを提供することを目的とする。
【課題を解決するための手段】
【０００９】
本発明は、情報処理装置のユーザを撮像した会議画像を他の情報処理装置に送信し、受信した会議画像を表示画面に表示する機能を備えた複数の情報処理装置を含む、前記会議画像と前記会議画像のユーザと前記会議画像のユーザの情報処理装置とを対応付けて管理する管理手段を備える情報処理システムであって、前記情報処理装置の表示画面において表示された複数の前記会議画像の中から着目する会議画像の選択を受け付ける選択受付手段と、前記管理手段により管理されている情報を用いて、前記選択受付手段により選択を受け付けた会議画像のユーザの情報処理装置を特定する第１の特定手段と、前記選択受付手段により前記会議画像の選択を受け付けた情報処理装置を特定する第２の特定手段と、前記第１の特定手段により特定された前記会議画像のユーザの情報処理装置に対して、前記第２の特定手段により特定された情報処理装置において前記ユーザの会議画像が選択されたことを通知する通知手段と、を備えることを特徴とする。
【発明の効果】
【００１０】
本発明によれば、着目されたユーザの装置に、当該ユーザが着目された旨を容易に通知する仕組みを提供することができる。
【図面の簡単な説明】
【００１１】
【図１】本発明の実施形態における、情報処理システムの構成の一例を示す図である。
【図２】本発明の実施形態における、各種装置のハードウェア構成の一例を示す図である。
【図３】本発明の実施形態における、各種装置の機能構成の一例を示す図である。
【図４】本発明の第１の実施形態における、会議画像表示処理の流れを示すフローチャートである。
【図５】本発明の第１の実施形態における、着目ユーザへの通知処理の流れを示すフローチャートである。
【図６】本発明の第１の実施形態における、各種データ構成の一例を示す図である。
【図７】本発明の第１の実施形態における、会議選択画面の構成の一例を示す図である。
【図８】本発明の第１の実施形態における、会議画像表示画面の構成の一例、及び着目ユーザの通知の様子の一例を示す図である。
【図９】本発明の第１の実施形態における、会議画像表示画面の構成の一例、及び着目ユーザの通知の様子の一例を示す図である。
【図１０】本発明の第２の実施形態における、処理の流れを示すフローチャートである。
【発明を実施するための形態】
【００１２】
以下、図面を参照して、本発明の実施の形態の一例について説明する。
【００１３】
まず図１を参照して、本発明の実施形態における、情報処理システムの構成の一例について説明する。
【００１４】
図１に示す通り、本発明の情報処理システムは、サーバ２００と、クライアント端末１００（クライアント端末１００Ａ、クライアント端末１００Ｂ、クライアント端末１００Ｃの総称）とが、ネットワーク１０１を介して通信可能に接続され、構成されている。
【００１５】
サーバ２００は、クライアント端末１００を用いたウェブ会議を実行するための各種機能を備えている。例えば、ウェブ会議用のルームの作成・記憶、クライアント端末１００の識別情報と各クライアント端末から受信する会議画像（例えば、会議参加者であるユーザを撮像した画像データである撮像画像（映像））の記憶、当該会議画像と会議画像の送信元の端末との対応付けの情報の記憶、当会議該画像の各形態端末への送信処理の制御を行う。
【００１６】
クライアント端末１００は、カメラを備える端末である。例えばカメラ装置を内蔵しているクライアント端末や、外付けのカメラ装置が接続されているクライアント端末がある。
【００１７】
本発明の実施形態の説明においては、クライアント端末１００は、インカメラ（ディスプレイが設置されている面の側に設置されたカメラ）と、アウトカメラ（クライアント端末の背面／ディスプレイの設置されている側とは反対の面に設置されているカメラ）を備え、タッチパネル機能（操作部）を備える端末であるものとする。
【００１８】
クライアント端末１００は、会議アプリケーションの機能を用いて、ユーザからの操作に応じてサーバ２００へログインし、当該カメラが撮像して取得した画像（会議画像／映像）を、サーバ２００を介して、同一のルームに入室中（会議に参加中）の他のクライアント端末１００に逐次送信する。
【００１９】
また、カメラから取得した画像データの他に、当該クライアント端末１００に記憶されているデータ、例えば写真画像や、ＰＤＦファイル等の文書データ等の静的なデータを、サーバ２００を介して他のクライアント端末１００に送信して共有するファイル共有機能を備える。
【００２０】
また、会議アプリケーションは、クライアント端末１００で起動中の会議アプリケーション以外のアプリケーションの画面の画像を他のクライアント端末に送信して共有するアプリ画像共有機能を備える。以上が図１の、本発明の実施形態における、情報処理システムの構成の一例についての説明である。
【００２１】
次に図２を参照して、本発明の実施形態における、各種装置のハードウェア構成の一例について説明する。
【００２２】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００２３】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００２４】
また、２０５は入力コントローラで、キーボード（ＫＢ）２０９や不図示のマウス等のポインティングデバイス等からの入力を制御する。２０６はビデオコントローラで、ＣＲＴディスプレイ（ＣＲＴ）２１０等の表示器への表示を制御する。なお、図２では、ＣＲＴ２１０と記載しているが、表示器はＣＲＴだけでなく、液晶ディスプレイ等の他の表示器であってもよい。これらは必要に応じて管理者が使用するものである。
【００２５】
また、本発明の実施形態において、クライアント端末１００のＣＲＴ２１０は、タッチパネル機能を有するものとする。ＣＲＴ２１０がタッチパネル機能を有する場合、当該ＣＲＴ２１０は入力装置としても機能し、入力コントローラにタッチパネル機能で検出した（ディスプレイで受け付けた）タッチ操作の情報を入力情報として伝達するものとする。つまり、入力コントローラ２０５は、ＣＲＴ２１０からの入力制御を行う。
【００２６】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２７】
２０８は通信Ｉ／Ｆコントローラで、ネットワーク（例えば、図１に示したネットワーク１０１）を介して外部機器と接続・通信するものであり、ネットワークでの通信制御処理を実行する。例えば、ＴＣＰ／ＩＰを用いた通信等が可能である。
【００２８】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００２９】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。
【００３０】
２１２は加速度センサであり、例えばクライアント端末１００の加速度を検出する。尚、加速度センサが外部装置としてクライアント端末１００等の装置に取り付けられている場合、例えば、加速度センサ２１２は入力コントローラ２０５と通信することで検出した加速度の情報をクライアント端末１００に伝達する。当該加速度の情報は、例えばＲＡＭ２０３上に、クライアント端末の動作の履歴として蓄積・記憶される。以上が図２の、本発明の実施形態における、各種装置のハードウェア構成の一例についての説明である。
【００３１】
次に図３を参照して、本発明の実施形態における、各種装置の機能構成の一例について説明する。図３は、本発明の実施形態における、各種装置の機能構成の一例を示す図である。
【００３２】
図３の３１１〜３１９の各機能部は、クライアント端末１００にインストールされた会議アプリケーション（クライアントアプリケーション）が備える機能部である。また、３２２〜３２８の各機能部は、サーバ２００にインストールされた会議アプリケーション（サーバアプリケーション）が備える機能部である。
【００３３】
撮像画像記憶制御部３１１は、カメラによって撮像された撮像画像を、会議に参加中の他の端末（例えばクライアント端末１００Ａにとっての、クライアント端末１００Ｂ〜１００Ｃ）に送信する画像である自機の会議画像として外部メモリに記憶する制御を行う制御部である。
【００３４】
会議画像送信部３１２は、自機に記憶されている自機の会議画像をサーバ２００に送信する（サーバ２００を介して、自機と同じ会議に参加中の他の端末（送信先の端末）に送信する）送信部である。未送信の会議画像を送信した場合、送信済みである旨を示す情報を当該会議画像に対付けて記憶することで、送信済みの会議画像と未送信の会議画像とを区別して管理する。
【００３５】
会議情報記憶部３２８は、どの会議にどのユーザが参加しているかを記憶管理する。
【００３６】
会議画像受信部３２１は、各クライアント端末１００から送信された会議画像を受信し、会議画像記憶部３２２は、受信した会議画像を、各会議画像の送信元の端末及びユーザごとに記憶する。会議画像送信部３２３は、会議画像記憶部３２２に記憶された各会議画像を、各会議画像の送信元以外の、各会議画像の送信元の端末のユーザと同じ会議に参加しているユーザの端末に送信する送信部である。例えばクライアント端末１００Ａ〜１００Ｃが同じ会議に参加しているとして、クライアント端末１００Ａから受信した会議画像は、クライアント端末１００Ｂ〜１００Ｃにそれぞれ送信する。
【００３７】
会議画像受信部３１３は、サーバ２００から送信された他機の会議画像を受信し、会議画像表示部３１４は、受信した他機の会議画像及び自機の会議画像を表示画面上の会議画像表示領域ごとに記憶し、当該表示領域に表示する。
【００３８】
会議画像選択受付部３１５は、会議画像表示部３１４で表示されている会議画像の選択を受け付ける。
【００３９】
ユーザ特定部３１６は、会議画像選択受付部３１５で選択を受け付けた会議画像のユーザを、着目（注目）されたユーザである被着目ユーザとして特定し、メモリ上に記憶する。また、会議画像選択受付部３１５で被着目ユーザの画像を選択したクライアント端末１００のユーザを、当該被着目ユーザに着目した着目ユーザとして特定し、メモリ上に記憶する。
【００４０】
通知部３１７は、ユーザ特定部３１６で特定されたユーザのクライアント端末（会議画像選択受付部３１５で選択を受け付けた会議画像の送信元の端末）に、自機のユーザが被着目ユーザに着目していることを通知すべく、サーバ２００に対して通知をする。
【００４１】
通知受付部３２４は当該通知を受け付け、通知元特定部３２５は、当該通知に含まれる通知元の情報を参照して、当該通知の通知元を特定する。例えば通知元のクライアント端末１００とユーザとを特定する。
【００４２】
また、通知先特定部３２６は、通知受付部３２４で受け付けた通知に含まれる通知先の情報を参照して、当該通知の通知先を特定する。例えば通知先のクライアント端末１００と被着目ユーザとを特定する。
【００４３】
通知部３２７は、通知先特定部３２６で特定された通知先のクライアント端末１００に対して、着目ユーザの端末で被着目ユーザが着目されたことを通知する。
【００４４】
通知受付部３１８は当該通知を受け付け、通知表示部３１９は受け付けた通知の内容を表示画面に表示する。以上が図３の説明である。
【００４５】
以下の説明において、各フローチャートの各ステップの処理は、各装置のＣＰＵが、各装置にインストールされたアプリケーションが備える機能を用いて実行するものとする。
【００４６】
＜第１の実施形態＞
以下、図４〜１０を参照して、本発明の第１の実施形態について説明する。
【００４７】
まず図４を参照して、本発明の第１の実施形態における、会議画像表示処理の流れについて説明する。
【００４８】
ステップＳ４０１で、クライアント端末１００は、ユーザ操作に応じて会議アプリケーションを起動する。
【００４９】
ステップＳ４０２で、クライアント端末１００は、不図示のログイン画面を表示してユーザＩＤとパスワードの入力を受け付け、入力されたユーザＩＤとパスワードをサーバ２００に送信することで、会議アプリケーション（クライアントアプリケーション及びサーバアプリケーション）への、当該ユーザＩＤのユーザのログイン処理を行う。厳密には、ユーザＩＤ及びパスワードを受け取ったサーバ２００が自機に当該ユーザＩＤ及びパスワードが記憶されている（認証が成功した）と判定した場合に、サーバアプリケーションへのユーザのログインを実行し、認証成功の旨をクライアント端末１００のクライアントアプリケーションに通知することで、クライアントアプリケーションが自身へのユーザのログイン処理を行う。ユーザＩＤ及びパスワードの一例を図６のユーザ情報６００に示す。
【００５０】
ステップＳ４０３で、クライアント端末１００は、ログイン後に表示する会議選択画面７００（図７に例示）をサーバ２００に要求する。会議選択画面とは、会議が開催されている会議室の一覧７０１から、「参加」ボタン７０２を選択することで参加する会議を選択するための画面である。
【００５１】
ステップＳ４０４で、サーバ２００は当該要求を受信し、ステップＳ４０５で会議選択画面７００を生成してクライアント端末１００に送信する。具体的には生成した会議選択画面７００のｈｔｍｌ情報（画面情報）を送信する。画面情報には、各会議室の選択部と会議室ＩＤが対応付けて記憶されている。
【００５２】
ステップＳ４０６で、クライアント端末１００は当該画面情報を受信し、ｈｔｍｌを解析して表示画面に表示する。
【００５３】
ステップＳ４０７で、クライアント端末１００は、ユーザからの入室する会議室の選択操作（参加する会議の選択操作）を受け付ける。そして、選択された会議室の会議室ＩＤを画面情報から特定して、当該会議室へのログインユーザの入室要求をサーバ２００に送信する。当該乳汁要求には、クライアント端末１００のログインユーザのユーザＩＤと、クライアント端末１００自身の端末ＩＤを含める。
【００５４】
ステップＳ４０８で、サーバ２００は当該要求を受け付け、ステップＳ４０９で、ログインユーザを要求された会議室に入室させる処理を行う。
【００５５】
具体的には、当該ログインユーザのユーザＩＤを、入室要求がされた、予めサーバ２００の外部メモリに記憶されている会議室に対応付けて記憶する。当該対応付けを示す情報の一例を図６の会議情報６１０に示す。ステップＳ４０９では、サーバ２００は、入室要求された会議室の会議室ＩＤ６１１に対応する参加者ＩＤ６１３の欄に、入室要求元のクライアント端末１００でログイン中のログインユーザのユーザＩＤを追加して記憶する。この際、当該ユーザのログインしているクライアント端末１００の端末ＩＤを、端末ＩＤ６１４に記憶する。会議ＩＤ６１２は、会議室ＩＤ６１１の会議室で開催されている会議のＩＤであり、会議が終了した場合は削除される。
【００５６】
発言権６１５は、参加者ＩＤ６１３の示すユーザの、会議ＩＤ６１２の会議における発言権の有無を示す。例えば会議に参加する所定のユーザに対して会議に参加中の他ユーザの発言権の設定権限を付与し、例えば会議開始直後に当該所定のユーザのクライアント端末１００において受け付けた操作に応じて、当該操作の情報を受け付けたサーバ２００が各人の発言権の有無を決定して発言権６１５に記憶するものとする。
【００５７】
図４の説明に戻る。ステップＳ４１０で、サーバ２００は、図８の会議画面８００に示す会議画面の画面情報を自機の外部メモリから取得して、クライアント端末１００に送信する。当該画面情報は例えば画面のレイアウトを示すｈｔｍｌ情報であり、８０１や８０２に示すような表示領域及び各表示領域のＩＤを含む。つまり、会議画面のテンプレート情報である。なお、この時点では各表示領域には会議画像は表示されていない。
【００５８】
ステップＳ４１１で、クライアント端末１００は、当該会議画面の情報を受信してメモリに記憶する。また、当該会議画面８００を表示画面に表示する。
【００５９】
ステップＳ４１２で、クライアント端末１００は、カメラを起動する。具体的には、クライアント端末１００のＯＳに対して、カメラアプリケーションにインストールされている所定のカメラアプリケーションを起動し、カメラによる撮像を開始するよう指示する。
【００６０】
クライアント端末１００が携帯端末の場合、ここではまずインカメラを用いて撮像を開始するようカメラアプリケーションに指示するものとする。
【００６１】
クライアント端末１００は、ステップＳ４１３〜Ｓ４１４の処理を、入室中の会議室からログインユーザが退室するまで繰り返す。
【００６２】
ステップＳ４１３で、クライアント端末１００は、カメラアプリケーションにより起動したカメラで撮像された撮像画像をカメラアプリケーションから取得し、メモリに記憶する。具体的には、後述するステップＳ４１４でサーバ２００に送信する画像を記憶する会議画像テーブル６２０（図６）に、当該撮像画像を逐次記憶する（取得した順に、順次記憶する）。
【００６３】
会議画像テーブル６２０は、会議画像の送信元の端末ごとに会議画像を蓄積して逐次記憶するテーブルである。ここでいう送信元の端末とは、会議画像を送信するクライアント端末１００Ａ〜１００Ｃのいずれかである。
【００６４】
端末ＩＤ６２１は当該会議画像を送信する送信元の端末の端末ＩＤである。ステップＳ４１３の時点では自機の端末ＩＤが格納される。シーケンス番号６２２は、会議画像の記憶された順序を示す。会議画像６２３は、会議画像の実体データ（画像データ）である。会議画像６２３には、カメラで撮像された動画（動画像）のフレーム（１コマ）ごとの画像が逐次記憶される。「Ａ００５．ｊｐｇ」等は画像の名称である。シーケンス番号及び画像の名称は、会議アプリケーションがカメラアプリケーションから撮像画像を取得した時点で、会議アプリケーションにより一意の番号及び名称が付与される。シーケンス番号は直前に付与した番号の次の番号を新たな画像を取得するごとに順々に、連番になるように付与する。
【００６５】
送信済フラグ６２４は、サーバ２００へ送信済みの画像を示すフラグである。送信済フラグ６２４＝１は送信済み、送信済フラグ６２４＝０は未送信を示す。
【００６６】
ステップＳ４１４で、クライアント端末１００は、自機の会議画像（自機の端末ＩＤが端末ＩＤ６２１に記憶されている会議画像）のうち、未表示の画像を表示画面の所定の表示領域に表示する。例えば、自機の会議画像を表示領域８０２に表示する。また、最も古い未送信の会議画像を取得してサーバ２００に送信する。送信後、当該会議画像を会議画像テーブル上で送信済みとして管理すべく、送信済フラグ６２４を１に変更する。
【００６７】
ステップＳ４１５で、サーバ２００は、クライアント端末１００から送信された会議画像を受信し、ステップＳ４１６で、送信元の端末ＩＤと対応付けてメモリ上に記憶する。具体的には、会議画像テーブル６２０と同じ構成の、サーバアプリケーションが管理する会議画像テーブルに、会議画像の送信元の端末ＩＤ（６２１）と会議画像（６２３）を対応付けて記憶する。
【００６８】
一方、ステップＳ４１７〜Ｓ４１８の処理も、入室中の会議室からログインユーザが退室するまで繰り返す。ステップＳ４１７〜Ｓ４１８の処理は、ステップＳ４１１の処理後に開始する。
【００６９】
ステップＳ４１７で、クライアント端末１００は、他機の会議画像の取得要求をサーバ２００に送信する。
【００７０】
ステップＳ４２０で、サーバ２００は当該要求を受信し、ステップＳ４２１で、要求に応じて他機の会議画像を自身のメモリ上の会議画像テーブルから取得して、クライアント端末１００に送信する。なお、サーバ２００の会議画像テーブルでは、送信済みフラグ６２４に相当する欄に、送信済みフラグの代わりに送信済みのクライアント端末１００の端末ＩＤを挿入して記憶する。つまり、どの端末にどの会議画像を送信したかを記憶している。ステップＳ４２１では、要求元のクライアント端末１００に未だ送信していない会議画像を特定、取得して、当該会議画像の送信元のクライアント端末１００の識別情報と共に送信するものとする。
【００７１】
ステップＳ４１８で、クライアント端末１００は、会議画像を逐次受信してＲＡＭ２０３上に記憶し、当該会議画像の送信元のクライアント端末１００に対応するユーザを、前記クライアント端末１００の識別情報と図６の会議情報６１０を参照して特定し、当該ユーザの会議画像を表示する表示領域を決定する。
【００７２】
具体的には、図６の表示領域・ユーザ対応付け情報６３０に示すような表示領域の一覧を参照し、まだユーザが対応付けられていない表示領域中の先頭の表示領域の中で最も小さい番号の表示領域ＩＤ６３１を特定して、ユーザＩＤ６３３に受信した会議画像のユーザのユーザＩＤを記憶する。つまり、表示領域とユーザを対応付けて記憶する。
【００７３】
表示領域・ユーザ対応付け情報６３０はクライアント端末１００に表示されている会議画面の中の表示領域（例：８０１や８０２）の一覧である。種別６３２は表示領域の種別である。図８でいう８０１のみが「大」領域（メインの画像表示領域）であり、８０１以外の、８０２のような他の表示領域は「小」領域（サブの画像表示領域）である。
【００７４】
選択フラグ６３４は、会議画面上で選択を受け付け、選択状態にある表示領域の識別フラグである。選択フラグ６３４＝１は選択状態であることを示す。選択フラグ６３４＝０は非選択状態であることを示す。
【００７５】
また、ステップＳ４１８においてクライアント端末１００は、受信した会議画像を、当該会議画像のユーザを対応付けて記憶した表示領域に逐次表示する。具体的には、各表示領域（表示領域ＩＤ６４１）に表示する最新の会議画像６４２を記憶する表示領域・画像対応付け情報６４０の中の、表示対象の表示領域の会議画像６４２に、受信した最新の画像を書き込んで記憶し、当該会議画像６４２をメモリ上に読み出して、対応する表示領域ＩＤの表示領域に表示・更新する。
【００７６】
なお、表示領域・ユーザ対応付け情報６３０、表示領域・画像対応付け情報６４０の情報は更新される都度サーバ２００に送信し、サーバ２００はこれらの情報を送信した送信元のクライアント端末１００の端末ＩＤに対応付けて記憶・管理するものとする。つまり、どのクライアント端末１００のどの表示領域に、どのユーザの、どの画像が表示されているかを管理する。以上が図４の説明である。
【００７７】
次に図５を参照して、本発明の第１の実施形態における、着目ユーザへの通知処理の流れについて説明する。
【００７８】
ステップＳ５０１で、クライアント端末１００Ａは、会議画面８００に対するユーザ操作を受け付ける。例えば、表示領域８０１又は表示領域８０２の選択操作を受け付ける。
【００７９】
表示領域の選択操作とは、例えば、表示領域に対するダブルタップの操作である。また、選択された表示領域に対応する、当該表示領域に表示されている会議画像の選択操作であり、当該会議画像の送信元の端末に対応するユーザの選択操作である。
【００８０】
ユーザが選択されたということは、当該ユーザを選択したユーザが選択されたユーザに着目したということであり、例えば様子を伺って選択されたユーザに対して話しかけようとしていることが考えられる。
【００８１】
ステップＳ５０２でクライアント端末１００Ａは、ステップＳ５０１で受け付けた操作が表示領域８０１の選択操作か、表示領域８０２の選択操作かを判定する。表示領域８０２に対する操作の場合は処理をステップＳ５０３に移行する。表示領域８０１に対する操作の場合は処理をステップＳ５１２に移行する。
【００８２】
ステップＳ５０３で、クライアント端末１００Ａは、会議画面８００の画面情報に基づいて、選択された表示領域８０２のＩＤを特定して、当該ＩＤを表示領域ＩＤ６３１に持つレコードを、表示領域・ユーザ対応付け情報６３０から特定する。
【００８３】
そして、特定したレコードのユーザＩＤ６３３を特定して、被着目ユーザのユーザＩＤとしてＲＡＭ２０３上に記憶する。
【００８４】
具体的には、通知情報６５０（図６に図示）をＲＡＭ２０３上に生成し、被着目ユーザＩＤ６５２に当該被着目ユーザＩＤ６５２を挿入して記憶する。また、選択を受け付けた表示領域８０２の表示領域ＩＤを６５１に、選択されたユーザの最新の会議画像を会議画像６５３に、選択されたユーザのクライアント端末の端末ＩＤを会議情報６１０を参照することで特定し通知先端末ＩＤ６５４に挿入して記憶する。また、当該表示領域の選択を受け付けたクライアント端末１００自身の端末ＩＤを通知元端末ＩＤ６５６に挿入し、当該クライアント端末１００のユーザを、会議情報６１０を参照することで特定し着目ユーザＩＤ６５５に挿入して記憶する。
【００８５】
ここではｕｓｅｒ００２が被着目ユーザとして選択、記憶されたものとする。
【００８６】
ステップＳ５０４で、クライアント端末１００Ａは、被着目ユーザであるｕｓｅｒ００２のビデオ映像を表示領域８０１に表示し、選択された表示領域８０２に表示領域８０１に表示されていたユーザの映像を表示する。
【００８７】
具体的には、ｕｓｅｒ００２の会議画像６４２と、表示領域８０１の会議画像（図６における、表示領域ＩＤ＝１と対応付けられて記憶・表示されていた会議画像６４２＝Ａ００４．ｊｐｇ）を入れ替える。当該会議画像の入れ替えの様子を図８の８１０から８２０に示す。
【００８８】
本実施形態においては、クライアント端末１００Ａにおいて、選択された表示領域８０２である、表示領域ＩＤ＝２の表示領域に表示されていたｕｓｅｒ００２の会議画像と、表示領域ＩＤ＝１の表示領域に表示されていたｕｓｅｒ００３の会議画像を入れ替えるものとする。この後、再び表示領域ＩＤ＝２の表示領域に対する選択操作を受け付けるまで、ｕｓｅｒ００３の会議画像は表示領域ＩＤ＝２の表示領域に表示し続ける。
【００８９】
ステップＳ５０５で、クライアント端末１００Ａはｕｓｅｒ００２が被着目ユーザとなったことをサーバ２００に通知することで、被着目ユーザのクライアント端末１００に対してそのことを通知するよう依頼する。当該通知には通知情報６５０を含める。
【００９０】
ステップＳ５０６で、サーバ２００は当該通知を受け付け、当該通知に含まれる通知情報６５０をＲＡＭ２０３に記憶する。ステップＳ５０７で、当該通知の通知元のクライアント端末１００のユーザをｕｓｅｒ００２に着目している着目ユーザとして特定する（着目ユーザ特定手段に該当）。具体的には着目ユーザＩＤ６５５のユーザＩＤの値を特定する。
【００９１】
ここでは通知元の端末はクライアント端末１００Ａであり、クライアント端末１００Ａはｕｓｅｒ００１の端末である。つまり、被着目ユーザ＝ｕｓｅｒ００２に着目している着目ユーザ＝ｕｓｅｒ００１であるものとする。
【００９２】
ステップＳ５０８で、サーバ２００は、ステップＳ５０６で受け付けた通知に応じて、ｕｓｅｒ００２が選択されて着目されていることを通知する通知先を特定する。具体的には、ステップＳ５０６で受け付けた通知情報６５０の通知先端末ＩＤ６５４を参照し、通知された被着目ユーザ（ｕｓｅｒ００２）のクライアント端末１００を通知先として特定する。ここではｕｓｅｒ００２に対応する端末はクライアント端末１００Ｂであるものとする。
【００９３】
ステップＳ５０９で、サーバ２００は、ｕｓｅｒ００１がｕｓｅｒ００２に着目した旨を、ｕｓｅｒ００２に対応するクライアント端末１００Ｂに通知する。例えば、ｕｓｅｒ００１がｕｓｅｒ００２に着目した旨を示すメッセージの文字列を生成して、クライアント端末１００Ｂに送信する。また、着目ユーザのユーザＩＤをクライアント端末１００Ｂに通知する。
【００９４】
つまり、ｕｓｅｒ００２の会議画像がクライアント端末１００Ａで選択された旨を通知する。
【００９５】
ステップＳ５１０で、クライアント端末１００Ｂは当該通知を受け付け、ステップＳ５１１で当該通知に含まれるメッセージを表示画面上に表示する。クライアント端末１００Ｂの会議画面の一例を図８の８３０に、メッセージの表示の一例を８３１に示す。
【００９６】
また、クライアント端末１００Ｂは着目ユーザであるｕｓｅｒ００１に対応する表示領域を、自機内の表示領域・ユーザ対応付け情報６３０を参照して特定し、当該ｕｓｅｒ００１に対応する表示領域（着目ユーザの会議画像が表示されている表示領域）を識別表示する（識別表示制御手段）。例えば、図８の８３２に示すように、着目ユーザの会議画像が表示されている表示領域に枠を表示し、強調表示する。
【００９７】
当該識別表示により、被着目ユーザは、どの画像のユーザが自分に着目しているのか容易に確認することができる。以上が図５の説明である。
【００９８】
本発明の第１の実施形態によれば、着目されたユーザの装置に、当該ユーザが着目された旨を容易に通知することができる。
【００９９】
つまり、通知された装置を利用しているユーザは、同じ会議に参加しているユーザのうち、誰に注目されているかを容易に知ることができる。
【０１００】
なお、上述した実施形態においては、着目されたら着目されたユーザにその旨を通知することとしたが、例えば、着目されてから所定時間経過後であっても同じ着目ユーザが同じ被着目ユーザに着目している場合に前記通知をするようにしてもよい。
【０１０１】
例えば誤操作等で、意図しないユーザの会議画像を選択してしまった場合、すぐに所望のユーザの会議画像を選択し直すことが考えられる。反対に、所望のユーザを選択して着目する場合、そのユーザへの着目は所定時間以上継続することが考えられる。
【０１０２】
つまり、着目されてから所定時間が経過しても同じ着目ユーザが同じ被着目ユーザに着目している場合に通知を行うことで、意図して当該被着目ユーザに着目しているユーザの存在を、被着目ユーザに通知することができる。
【０１０３】
また、上述した実施形態においては、会議画面の一例として図８の８００〜８３０を用いたが、会議画面の構成はこれに限られるものではない。例えば、図９の９００〜９３０を会議画面としてもよい。なお、図９において９０３はＰＣでいうデスクトップ画面であり、会議画面９００はデスクトップ上にウィンドウ表示されている。クライアント端末１００は会議画面９００において「レイアウト」ボタン９０２の押下を受け付けることで、９１０に示すダイアログ９１１を表示する。全画面表示対象ユーザ選択受付部９１２は、会議画像を全画面表示するユーザ（被着目ユーザ）の選択受付部である。当該選択受付部であるプルダウンには、当該ダイアログを表示しているクライアント端末１００と同じ会議に参加している他のユーザのユーザＩＤを選択可能に表示する。クライアント端末１００は全画面表示対象ユーザ選択受付部９１２で選択されたユーザＩＤのユーザを被着目ユーザとして特定し、通知情報に記憶してサーバ２００に送信する。また、選択されたユーザＩＤのユーザの会議画像を会議画面９２０の９２１に示すように全画面表示する。サーバを経由してメッセージ及び着目ユーザの通知を受け付けたクライアント端末１００Ｂは、会議画面９３０を表示する。例えば受け付けた通知のメッセージをポップアップ表示するようＯＳに指示して、９３１に示すようにメッセージを表示する。また、９３２に示すように着目ユーザを識別表示する。
【０１０４】
＜第２の実施形態＞
以下、図１０を参照して、本発明の第２の実施形態について説明する。なお、第１の実施形態と共通の処理については説明を割愛する。
【０１０５】
あるユーザが着目された場合、着目したユーザが着目されたユーザに話しかけようとしていることが考えられる。
【０１０６】
しかし、例えばあるユーザが話をしている場合に、単に当該ユーザの顔を見て話を聞くために当該ユーザに着目することもある。
【０１０７】
第２の実施形態においては、着目したユーザが着目されたユーザに話しかけようとしているか判断し、話しかけようとしている場合にその旨を着目されたユーザに通知する。
【０１０８】
例えば、クライアント端末において音声を他機に送信する機能が有効か否かに応じて、着目されたユーザの装置に、当該ユーザが着目された旨を容易に通知することができる。
【０１０９】
当該通知により、話しかけられる側のユーザが話しかけられた際の回答等の準備をすることができる。
【０１１０】
図１０を参照して、本発明の第２の実施形態における処理の流れについて説明する。
【０１１１】
クライアント端末１００Ａは、図５のステップＳ５０２の直後に図１０の処理を開始する。
【０１１２】
ステップＳ１００１で、クライアント端末１００Ａは、自機の外部メモリに記憶されているデバイス設定６６０をＲＡＭ２０３上に読み出す。
【０１１３】
デバイス設定６６０は、クライアント端末１００の外部メモリ２１１に記憶されている情報であり、どのデバイス（デバイス名６６１の示すデバイス）の機能がＯＮ又はＯＦＦになっているか（ＯＮ／ＯＦＦ６６２）を示す情報である。
【０１１４】
本実施形態におけるデバイス設定６６０でＯＮ／ＯＦＦの設定がされるデバイスとは、カメラ、マイク、スピーカの３つであるものとする。
【０１１５】
クライアント端末１００は、カメラ、マイク、スピーカにあたるデバイスがクライアント端末１００に接続された場合に、接続されたデバイスのＯＮ／ＯＦＦ６６２をＯＮに設定し、接続が解除された場合にＯＦＦに設定する。また、不図示のデバイスのＯＮ／ＯＦＦ設定画面においてデバイスごとのＯＮ／ＯＦＦ設定が可能である。クライアント端末１００は、当該デバイスのＯＮ／ＯＦＦ設定画面において受け付けた各デバイスのＯＮ／ＯＦＦの切り替え操作に応じて、各デバイス名６６１に対応するＯＮ／ＯＦＦ６６２の設定を、ＯＮからＯＦＦへ／ＯＦＦからＯＮへ切り替える。
【０１１６】
本実施形態において、ＯＮ／ＯＦＦ６６２がＯＮである状態とは、デバイスの機能が有効である旨を示す。ＯＮ／ＯＦＦ６６２がＯＦＦの状態は各機能が無効になっていることを示す。
【０１１７】
例えばカメラがＯＮの状態とは、クライアント端末１００に設置されたカメラによる撮像画像の撮像と取得、及び他クライアント端末１００へのサーバ２００を介した会議画像送信機能が有効な状態である。会議において基本的にはカメラの機能はＯＮとなっているが、例えばクライアント端末１００が機密情報を扱う部屋に設置されている場合等は、部屋の画像を会議画像として送信してしまわないよう、カメラの機能をＯＦＦにすることがある。
【０１１８】
マイクがＯＮの状態とは、クライアント端末１００に設置されたマイクによる音声の取得、及び他クライアント端末１００へのサーバ２００を介した音声送信機能が有効な状態である。
【０１１９】
また、スピーカがＯＮの状態とは、クライアント端末１００に設置されたスピーカによる、他クライアント端末１００から受信した音声の再生・発音機能が有効な状態である。
【０１２０】
会議において会話をする場合にはマイク及びスピーカの機能はＯＮに設定しなければならないが、例えば研修や講義をウェブ会議の仕組みを使って行う場合、基本的には聴講者は発言することはないため、聴講者であるユーザのクライアント端末１００においては余計な雑音を他端末に送信してしまわないようマイク機能をＯＦＦにすることがある。
【０１２１】
つまり、被着目ユーザに話しかけるつもりがある場合、被着目ユーザに話しかけようとするユーザのクライアント端末１００において、マイク機能はＯＮとなっているはずである。
【０１２２】
また、会議参加中に電話対応を強いられた場合等においては、電話に会議の音が入り込まないように、クライアント端末１００においてスピーカ機能をＯＦＦにする操作がなされ、スピーカ機能をＯＦＦにすることがある。
【０１２３】
つまり、ユーザが他者からの話を聞く体勢が整っている場合には、当該ユーザのクライアント端末１００におけるスピーカ機能がＯＮになっているはずである。
【０１２４】
図１０の説明に戻る。ステップＳ１００２で、クライアント端末１００Ａは、自機のデバイス設定６６０を参照し、他機クライアント端末への音声送信機能が有効か無効か判定する。（有効判定手段に該当）
【０１２５】
自機の、他機クライアント端末への音声送信機能が有効である場合、処理をステップＳ５０３に移行する。つまり、当該通知が必要であると判断する。自機の、他機クライアント端末への音声送信機能が無効である場合、処理をステップＳ５１２に移行する。つまり、当該通知が不要であると判断する。
【０１２６】
以上説明したように、第２の実施形態においては、着目したユーザが着目されたユーザに話しかけようとしているか判断し、話しかけようとしている場合にその旨を着目されたユーザに通知することができる。
【０１２７】
よって、着目されたユーザは、仮に複数人のユーザが自身に着目していたとしても、単に自身に着目しているユーザではなく、当該着目されたユーザに話しかけようとしているユーザを容易に確認することができる。
【０１２８】
なお、上述した説明においてはクライアント端末１００の設定として音声送信機能が有効かを判定して、通知の要否を判断・決定するものとしたが、例えば会議に参加中のユーザに発言権を設定・管理し、発言権の有無に応じて通知の要否を判断・決定するようにしてもよい。
【０１２９】
例えば、ステップＳ１００１の代わりに自機のユーザの発言権を参照してステップＳ１００２の代わりに発言権の有無を判定する、又はステップＳ１００２の直後に自機のユーザの発言権を参照して発言権の有無を判定する（権限有無判定手段に該当）。発言権がある場合には処理をステップＳ５０３に移行し、発言権がない場合には処理をステップＳ５１２に移行する。
【０１３０】
＜第３の実施形態＞
以下、本発明の第３の実施形態について説明する。なお、第１の実施形態及び大２の実施形態と共通の処理については説明を割愛する。
【０１３１】
第３の実施形態においては、着目されたユーザが着目したユーザに話しかけた場合に、着目したユーザがこれに応じることができるかを判断し、単に自身に着目しているユーザではなく、当該着目されたユーザと会話のできるユーザを容易に確認することができる。
【０１３２】
具体的には、図１０のステップＳ１００２の代わりに、又はステップＳ１００２でＹＥＳと判定された直後に、クライアント端末１００は、自機のスピーカ機能がＯＮかＯＦＦかを判定する。
【０１３３】
スピーカ機能がＯＮの場合は、被着目ユーザに自機のユーザ（着目ユーザ）が着目していることを通知し、被着目ユーザから話しかけられた場合に、自機のユーザが当該話を聞くことができると判断し、処理を図５のステップＳ５０３に移行する。つまり、当該通知が必要であると判断する。
【０１３４】
一方、スピーカ機能がＯＦＦの場合には、例え被着目ユーザに自機のユーザ（着目ユーザ）が着目していることを通知したとしても、被着目ユーザから話しかけられた場合に、自機のユーザが当該話を聞くことができないと判断し、処理を図５のステップＳ５１２に移行する。つまり、当該通知が不要であると判断する。
【０１３５】
以上説明したように、第３の実施形態においては、着目したユーザが着目されたユーザに話しかけられた場合に、話を聞くことのできる状態であれば、当該着目がされた旨を着目されたユーザに通知することができる。
【０１３６】
よって、着目されたユーザは、仮に複数人のユーザが自身に着目していたとしても、単に自身に着目しているユーザではなく、当該着目されたユーザと会話ができるユーザを容易に確認することができる。
【０１３７】
以上説明したように、本発明によれば、着目されたユーザの装置に、当該ユーザが着目された旨を容易に通知する仕組みを提供することができる。
【０１３８】
なお、上述した実施形態の説明においては、サーバ２００で各画面情報を生成して、当該画面情報をクライアント端末１００が受信することで画面を表示していたが、予め画面の情報がクライアント端末１００のメモリ上に記憶してある場合には、各画面情報の要求、生成及び送受信の処理を省略し、自身のメモリ上に記憶されている画面情報を読み出して表示画面に表示するものとする。
【０１３９】
また、上述した実施形態においては、ステップＳ５０３で、クライアント端末１００Ａで通知情報６５０を生成してサーバ２００に送信するものとしたが、例えばクライアント端末１００Ａは自機で選択された被着目ユーザのユーザＩＤと自機の端末ＩＤをサーバ２００に通知し、通知を受け付けたサーバ２００が通知情報６５０を生成するようにしてもよい。
【０１４０】
具体的には、当該通知を受け付けたサーバ２００が、通知情報６５０をＲＡＭ２０３上に生成する。そして、通知元のクライアント端末１００の端末ＩＤを通知元端末ＩＤ６５６に記憶する。また、自機内の会議情報６１０を参照して、当該通知元端末ＩＤ６５６と同じ値がＩＤ６１４に記憶されているレコードを参照し、当該レコードの参加者ＩＤ６１３を着目ユーザとして特定して着目ユーザＩＤ６５５に記憶する。
【０１４１】
また、受信した通知に含まれていた被着目ユーザのユーザＩＤを被着目ユーザＩＤ６５２に記憶し、被着目ユーザＩＤ６５２と同じ値を参加者ＩＤ６１３に持つ会議情報６１０のレコードを参照して、当該レコードの端末ＩＤ６１４を通知先端末として特定し、通知先端末ＩＤ６５４に記憶する。
【０１４２】
なお、被着目ユーザのユーザＩＤの通知の代わりに、クライアント端末１００で選択された表示領域ＩＤ６５１の通知を受け付けた場合であっても、サーバ２００は自機内の、当該通知元のクライアント端末１００の端末ＩＤに対応する表示領域・ユーザ対応付け情報６３０を参照して、選択された表示領域において、選択操作時点で表示されていた会議画像のユーザ（被着目ユーザ）を特定可能であり、また、会議情報６１０を参照することで当該ユーザ（被着目ユーザ）のクライアント端末を特定可能である。以上の処理により通知を受け付けたサーバ２００において通知情報６５０を生成可能である。
【０１４３】
また、上述した実施形態においては、ステップＳ５０９で、通知先の端末にメッセージを送信するものとしたが、例えば通知情報６５０を送信することで通知を行うようにしてもよい。この場合、当該通知情報６５０を受信したクライアント端末１００Ｂは、着目ユーザＩＤ６５５のユーザが被着目ユーザＩＤ６５２のユーザに着目した旨を示すメッセージを生成して、ステップＳ５１１で表示画面上に表示する。
【０１４４】
尚、本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【０１４５】
具体的には、クライアント端末１００とサーバ２００が一体であり、上述した実施形態の各ステップの処理を１つの筐体として実行するようにしてもよい。
【０１４６】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【０１４７】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１４８】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０１４９】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０１５０】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１５１】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０１５２】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【０１５３】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０１５４】
尚、前述した実施形態は、本発明を実施するにあたっての具体化の例を示したものに過ぎず、これらによって本発明の技術的範囲が限定的に解釈されてはならないものである。
即ち、本発明はその技術思想、又はその主要な特徴から逸脱することなく、様々な形で実施することができる。
【符号の説明】
【０１５５】
１００Ａ  クライアント端末
１００Ｂ  クライアント端末
１００Ｃ  クライアント端末
１０１    ネットワーク
２００    サーバ
【図１】
2018036688.tif 000003
【図２】
2018036688.tif 000004
【図３】
2018036688.tif 000005
【図４】
2018036688.tif 000006
【図５】
2018036688.tif 000007
【図６】
2018036688.tif 000008
【図７】
2018036688.tif 000009
【図８】
2018036688.tif 000010
【図９】
2018036688.tif 000011
【図１０】
2018036688.tif 000012